(57)【要約】      （修正有）【課題】通信タグを設けられたデバイスのユーザによる操作を検出し、ユーザのプロファイルを適用する方法を提供する。【解決手段】通信タグリーダーを設けられたユーザ端末１０を装着するユーザ１が操作するデバイス３は、通信タグ５が設けられている。ユーザ端末１０とデバイス３とはローカルエリアネットワークを構成する。ユーザ１がデバイス３との通信レンジ内（ｄ＜Ｘｃｍ）に近づくと、ユーザ端末１０の通信タグリーダーがデバイス３の通信タグ５を検出することにより、ユーザ端末１０は、ユーザ１がデバイス３に対して操作しうることを認識する。ユーザ端末１０は、ユーザ１に関する情報を、ローカルエリアネットワーク接続７を通してデバイス３に伝達する。デバイス３は、そのフロントパネルの操作者を認識し、ユーザ端末１０に記憶されたユーザプロファイルを適用してパーソナル化されたサービスを、ユーザに提供する。【選択図】図１
2016042693.tif 000002
【特許請求の範囲】
【請求項１】
少なくとも１つの通信タグを設けられたデバイスのユーザによる操作を検出する方法であって、
ユーザ端末と、前記デバイスが接続されたローカル又はパーソナルエリアネットワークとの間にローカル又はパーソナルエリアネットワーク接続を確立するステップと、
前記ユーザ端末に設けられた通信タグリーダーが、前記少なくとも１つの通信タグを読み取ることにより、前記ユーザ端末が前記デバイスの通信レンジ内にあることを検出するステップを有し、
前記検出するステップは前記ネットワーク接続が確立された後にトリガーされる、
方法。
【請求項２】
さらに、前記ユーザに関する情報を、前記ユーザ端末と前記デバイスとの間の前記ネットワーク接続を通して、前記デバイスに送信するステップを有する、
請求項１に記載の方法。
【請求項３】
さらに、前記デバイスに対する前記ユーザの一以上のアクションを収集するステップと、前記ユーザの一以上のアクションを前記ユーザ端末中に保持されたユーザプロファイル内に記録するステップとを有する、請求項１又は２に記載の方法。
【請求項４】
前記ユーザのアクションは、前記ユーザ端末が前記デバイスの通信レンジ内に留まっている間に、前記デバイスにより生成され前記デバイスから受信され、前記デバイスの識別子に関連付けられるメッセージから求められる、
請求項３に記載の方法。
【請求項５】
前記ユーザのアクションは、前記デバイスにより生成され前記デバイスから受信され、前記デバイスの識別子と前記ユーザ又は前記ユーザ端末の識別子との両方に関連付けられるメッセージから求められる、請求項３に記載の方法。
【請求項６】
前記検出するステップは、
前記通信タグリーダーのパワーを最小検出レンジに対応する閾値に設定するステップと、
前記検出レンジを大きくするため前記パワーを大きくするステップとを有する、
請求項１乃至５いずれか一項に記載の方法。
【請求項７】
前記デバイスに設けられた通信タグリーダーが、前記ユーザ端末に設けられた通信タグを読み取るステップと、
前記デバイスと前記ユーザ端末との間の前記ネットワーク接続を通して、前記ユーザ端末に、前記ユーザ端末が前記デバイスの通信レンジ内であることをシグナリングするメッセージを送信するステップとを有する、
請求項１乃至６いずれか一項に記載の方法。
【請求項８】
さらに、前記デバイスが、前記ユーザにパーソナル化されたサービスを提供するため、前記ユーザプロファイルを処理するステップを有する、
請求項１乃至７いずれか一項に記載の方法。
【請求項９】
前記デバイスは少なくとも２つの通信タグを設けられている、
請求項１乃至７いずれか一項に記載の方法。
【請求項１０】
通信ネットワークからダウンロード可能な、及び／又はコンピュータ読み取り可能担体に記憶された、及び／又はマイクロプロセッサにより実行可能なコンピュータプログラム製品であって、コンピュータにより実行されたときに、請求項１乃至９いずれか一項に記載のデバイスのユーザによる操作を検出する方法を実行するプログラムコード命令を有する、
コンピュータプログラム製品。
【請求項１１】
ユーザ端末であって、
デバイスとローカル又はパーソナルエリアネットワーク接続を確立するネットワークインタフェースモジュールと、
前記デバイスに設けられた少なくとも１つの通信タグを読み取り、前記ユーザ端末が前記デバイスの通信レンジ内であることを検出する通信タグリーダーと、
ユーザプロファイルを記憶するメモリと、
前記デバイスにおけるユーザのアクションによりトリガーされ、前記デバイスにより生成され、前記ネットワーク接続を通して前記ネットワークインタフェースモジュールの受信モジュールにより受信された一以上のメッセージから求めたユーザのアクションで、前記ユーザプロファイルを更新するプロセッサと
を有する、ユーザ端末。
【請求項１２】
前記ネットワークインタフェースモジュールは、前記ユーザ端末と前記デバイスとの間の前記ネットワーク接続を通して、前記デバイスに、前記ユーザに関する情報を送信する送信器をさらに有する、請求項１１に記載のユーザ端末。
【請求項１３】
ユーザにより操作可能なユーザインタフェースと、デバイスとユーザ端末との間にネットワーク接続を確立するネットワークインタフェースモジュールとを有する前記デバイスであって、
前記ユーザ端末に設けられた通信タグリーダーにより読み取られる少なくとも１つの通信タグと、
前記ユーザ端末が前記デバイスの通信レンジ内にあると前記通信タグリーダーが検出したとき、前記ユーザに関する情報を前記ユーザ端末から受信する受信器と、
受信された前記情報に基づき前記ユーザ端末に記憶されたユーザプロファイルにアクセスするアクセスモジュールと、
前記ユーザプロファイルに基づき前記ユーザにパーソナル化されたサービスを提供する処理モジュールと
を有する、デバイス。
【請求項１４】
ユーザが少なくとも１つの通信タグが設けられたデバイスを操作していることを検出するシステムであって、
前記システムは前記デバイスとユーザ端末とを有し、
前記デバイスとローカル又はパーソナルエリアネットワーク接続を確立するネットワークインタフェースモジュールと、
前記ネットワーク接続が確立された後に起動され、前記デバイスに設けられた通信タグを読み取り、前記ユーザ端末が前記デバイスの通信レンジ内にあることを検出する通信タグリーダーと
を有する、システム。
【請求項１５】
前記ネットワークインタフェースモジュールは、前記ネットワーク接続を通して、前記デバイスに、前記ユーザに関する情報を送信する送信器を有し、
前記デバイスは、さらに、
前記ユーザに関する情報を受信する受信器と、
受信された前記情報に基づき前記ユーザ端末に記憶されたユーザプロファイルにアクセスするアクセスモジュールと、
前記ユーザプロファイルに基づき前記ユーザにパーソナル化されたサービスを提供する処理モジュールとを有する、
請求項１４に記載のシステム。
【発明の詳細な説明】
【技術分野】
【０００１】
本発明は、特に、限定ではないが、スマートライフサービスのコンテキストにおけるコンシューマエレクトロニクス機器又はデバイスの分野に関する。より具体的には、本発明は、デバイスのユーザによる、そのユーザインタフェースを通した操作を検出する方法に関する。
【背景技術】
【０００２】
過去数十年にわたり、コンシューマエレクトロニクス機器又はデバイスの利用を促進する試みとして、多くの研究開発プロジェクトが行われている。事実、かかる機器の機能（ｆｕｎｃｔｉｏｎｓ  ａｎｄ  ｆｕｎｃｔｉｏｎａｌｉｔｉｅｓ）は、数と複雑性の両面において急激に増大している。こうして、現在のトレンドはスマートな機器であって、ユーザの振る舞いや操作を自動的に再生するために、ユーザがそのユーザインタフェースをどう操作するかを学習して理解できるものを作ることである。
【０００３】
標準的なテレビジョンセットの例を考えると、他のテレビ電話などの機器に頻繁に用いられる。これらは、ユーザの個人的なコンタクトリストを考慮することにより、そのユーザに都合良く合わせられる。
【０００４】
この目的のため、デバイスのフロントパネルを通して直接的に、又はリモートコントロールを通して、機器を操作しているユーザを識別して認証できるようにする方法を提供することが必要である（後者は、その機器の物理的拡張と考えられる）。
【０００５】
ほとんどの先行技術の方法はログオン手順に依存し、ユーザは機器とセキュア接続を確立する。例えば、ユーザは、予め登録してある認証情報を用いてホームテレビジョンセットにログインする。ユーザがログオンすると、機器は、そのユーザインタフェースにおけるすべての操作はログオンしたこのユーザに関連するとみなす。
【０００６】
しかし、斯様なログオン手順はユーザフレンドリーではない。だれか他の人間がその機器を操作したい時はそのつどユーザがログアウトし、ユーザがもう一度その機器を操作したい時には再度ログインする必要があるからである。
【０００７】
かかるログオン手順を容易にするため、幾つかの機器にはカメラと（機器の前にいるユーザを認識できる）組み込み顔検出ソフトウェアを備え、このユーザを自動的にログオンする。かかる顔検出方法の欠点は、多くのユーザがそれを非常に押しつけがましいと考えることである。さらに、（多数のユーザにより操作されることがある）幾つかの公開された機器については適当ではないかも知れない。最後に、多くの機器では、カメラが組み込まれていない。
【０００８】
他の既知の先行技術の手法は、例えば、特許文献１に記載されたように、ニアフィールド通信（ＮＦＣ）技術の利用に依存している。この文献によると、デジタルテレビジョンの専用リモートコントロールが、モバイルデバイスと情報を交換するために、ニアフィールド通信機能を組み込まれ、またユーザの認証とデジタルテレビジョンのユーザに対するカスタム化を提供するため、ニアフィールド通信機能を組み込まれている。
【０００９】
ユーザは、多くの認証ステップを経ることなく、自分自身のプロファイルにしたがってデジタルテレビジョンを設定したい時はいつも、専用リモートコントロールと自分のモバイルデバイス間の無線通信を、それらにタッチすることにより、確立する必要がある。専用リモートコントロールは、ニアフィールド通信を用いて、モバイルデバイスを認証する。これにより、専用リモートコントロールを通して、モバイルデバイスとデジタルテレビジョンとの間の情報の交換が可能となり、その逆も言える。
【００１０】
この先行技術の手法の第１の欠点は、ＮＦＣ機能を備えた専用リモートコントロールを利用しないとならないことである。それゆえ、この先行技術の手法は、機器に強いインパクトを与える。さらに、この先行技術の手法は、ＮＦＣリーダーなどの専用識別装置を組み込んでいないレガシーな機器では使えない。
【００１１】
この先行技術の手法の他の一欠点は、ユーザから積極的かつ自発的なアプローチを示唆する。そのユーザは、自分のモバイルデバイス及びリモートコントロールにタッチすることにより、プロセスに対してアクティブな働きをしなければならない。よって、かかるアプローチはユーザフレンドリーではない。
【００１２】
さらに、ユーザは、他の第１のユーザが自分のモバイルデバイスで専用リモートコントロールにタッチした後でさえ、フロントパネルを通してデジタルテレビジョンを操作することが常に可能である。すると、デジタルテレビジョンがそのフロントパネルを操作しているユーザが誰であるか知る方法は無い。それは、専用リモートコントロールを介したニアフィールド通信により認証された第１のユーザだけでなく、誰であってもよいからである。
【００１３】
それゆえ、先行技術より改善されたことを示す、デバイスのユーザによる操作を検出する方法を提供することが望ましい。
【００１４】
特に、かかる方法であって複雑かつ押しつけがましいログオン手順を必要としない方法を提供することが望ましい。また、コスト効率的でありレガシー機器でも機能するかかる方法を提供することも望ましい。
【先行技術文献】
【特許文献】
【００１５】
【特許文献１】国際出願公開第ＷＯ２０１３／１３３７６４号
【発明の概要】
【００１６】
本発明の一実施形態において、少なくとも１つの通信タグを設けられたデバイスのユーザによる操作を検出する方法を提案する。該方法は、
−  ユーザ端末と、前記デバイスが接続されたローカル又はパーソナルエリアネットワークとの間にローカル又はパーソナルエリアネットワーク接続を確立するステップと、
−  前記ユーザ端末に設けられた通信タグリーダーが、前記少なくとも１つの通信タグを読み取ることにより、前記ユーザ端末が前記デバイスの通信レンジ内にあることを検出するステップとを有し、
前記検出するステップは前記ネットワーク接続が確立された後にトリガーされる。
【００１７】
本発明は、このように、デバイス又は機器のユーザによる操作を検出し、かかるユーザを識別する新規かつ独創的なアプローチに依存する。実際、かかる方法は、ユーザ端末であって電子的タグリーダーを組み込んだものに依存する。ユーザが、ユーザ端末を担って又は装着してデバイスに十分近づくとすぐに、通信タグリーダーは、デバイスに設けられた通信タグを読み取り、それ故にそのデバイスのユーザによる操作を検出する。かかる方法はどのレガシー機器でも動作し、たとえそれが専用ログインシステムを内蔵していなくても、通信タグがそれに取り付けられている限り、動作する。さらに、かかる方法は非常にユーザフレンドリーである。ユーザは自発的アクションを起こす必要がないからである。
【００１８】
かかる方法は、このように、デバイスユーザインタフェース（例えば、フロントパネル）を通した人による操作をユーザすなわちユーザ端末のオーナーに関連付ける、ユーザ端末それゆえデバイスのための容易な方法を提供する。
【００１９】
さらに、前記検出するステップのトリガーは、ユーザ端末と、前記デバイスが接続されていると分かっているローカル又はパーソナルエリアネットワークとの間にローカルネットワーク接続が確立された後に行われる。他の一実施形態では、前記検出するステップのトリガーは、前記ユーザ端末と前記デバイスとの間でローカルエリアネットワークが確立された後に行われる。
【００２０】
かかるフィーチャーにより、ユーザ端末の電力消費を、より具体的にはそれが内蔵している通信タグリーダーの電力消費を制御できる。実際、ユーザ端末は、デバイスが接続されているローカル又はパーソナルエリアネットワークと、又は前記ローカル又はパーソナルエリアネットワークを通してデバイスと直接的にネットワーク接続を確立した後にのみ、通信タグ読み取り試行を行う。例えば、ユーザが帰宅すると、そのユーザ端末はホームＷｉＦｉネットワーク（ＷＬＡＮ）に接続する。このホームＷｉＦｉネットワークにはテレビジョンセットと洗濯機も接続されている。かかるネットワーク接続が確立された後、ユーザ端末は通信タグ読み取り試行（ｒｅａｄ  ａｔｔｅｍｐｔ）をトリガーし、ユーザがテレビジョンセット又は洗濯機（又はより一般的にその他の任意の家庭内機器）のいずれかに近いか検出する。逆に、ユーザが家を離れていて、その他のどの公衆又はプライベートＬＡＮやＰＡＮにも接続していないとき、ユーザ端末は通信タグリーダーを起動せず、電力を節約する。
【００２１】
ユーザ端末とは、ここで本文献を通して、少なくともウェアラブル処理ユニットを有する任意のウェアラブルデバイスを意味する。かかるウェアラブル処理ユニットは、ポータブルスクリーンと一体になっていても、無線接続されていてもよい。なかんずく、かかるユーザ端末は、スマートフォン、パッド又はタブレット、コンピュータ、携帯電話などであり得る。
【００２２】
デバイスとは、ここで本文件を通して、任意の電子機器又はデバイスを意味し、プライベートコンシューマデバイスであってもパブリックデバイスであってもよい。なかんずく、かかるデバイスは、バス車内の広告パネル、パーソナルコンピュータ、洗濯機、テレビジョンセット、コーヒーマシンなどであり得る。延長線上で考えると、デバイスは電子デバイスのリモートコントロール、例えばテレビジョンセットのリモートコントロールであってもよい。
【００２３】
通信タグにより、ここで本文献を通して、任意の低電界の、好ましくはパッシブな通信タグを意味する。この検出レンジは、ユーザがデバイスを操作するためその十分近くにいることを検出するのに十分短い。なかんずく、かかる通信タグは、ＲＦＩＤ通信タグ、ブルートゥース低エネルギー通信タグ、ＮＦＣ通信タグなどであり得る。
【００２４】
本発明の一実施形態では、かかる方法は、前記ユーザ端末と前記デバイスとの間の前記ネットワーク接続を通して、デバイスに、ユーザに関する情報を送信するステップも有する。
【００２５】
ユーザ端末とデバイスとの間に確立されたネットワーク接続を通じて、デバイスに関連する通信タグが検出されるたびに、ユーザ端末は前記情報をデバイスに送信する。デバイスには、複雑かつ時間がかかるログオン手順を必要とせずに、誰がそのフロントパネルを操作しているか分かる。
【００２６】
ユーザが通信タグを備えたデバイスの十分近くにいる時、ユーザ端末に組み込まれた通信タグリーダーがデバイスを一意的に識別する。関連する識別子は、ユーザ端末と事前に通信していなければならない。この目的のため、本発明の別の一実施形態によると、かかる方法は、前記ユーザ端末に、
−  前記通信タグにより提供される前記デバイスの識別子；
−  前記デバイスと前記ネットワーク接続を確立する情報を記憶するステップを含む。
【００２７】
デバイスに関連する識別子は、予備的設定手順を通して、又は例えばＵＰｎＰ（「Ｕｎｉｖｅｒｓａｌ  Ｐｌｕｇ  ａｎｄ  Ｐｌａｙ」の略）／ＤＬＮＡ（「Ｄｉｇｉｔａｌ  Ｌｉｖｉｎｇ  Ｎｅｔｗｏｒｋ  Ａｌｌｉａｎｃｅ」の略）又はＱｅｏ（登録商標）（Ｔｅｃｈｎｉｃｏｌｏｒ（登録商標）により開発されたホームネットワークプロトコル）などのホームネットワークプロトコルに基づく任意の既知のメカニズムを通して、ユーザ端末に提供されている。
【００２８】
本発明の別の一実施形態では、前記方法は、さらに、前記デバイスに対する前記ユーザの一以上のアクションを収集するステップと、前記ユーザの一以上のアクションを前記ユーザ端末中に保持されたユーザプロファイル内に記録するステップとを有する。
【００２９】
そのため、ユーザ端末は、デバイスのユーザインタフェースを通してユーザの操作の結果としてデバイスにより生成されたすべてのホームネットワークプロトコルイベントを収集して、非常にリッチなユーザプロファイルを構築できる。
【００３０】
実際に、本発明の第１の実施形態によると、前記ユーザのアクションは、前記ユーザ端末が前記デバイスの通信レンジ内に留まっている間に、前記デバイスにより生成され前記デバイスから受信され、前記デバイスの識別子に関連付けられるメッセージから求められる。
【００３１】
換言すると、ユーザ端末は、関連する通信タグにより与えられるデバイスの識別子を、デバイスのフロントパネルを通してユーザ操作の結果として、デバイスにより生成されたホームネットワークプロトコルイベントと関連付ける。ユーザ端末は、デバイス通信タグを検知又は検出できる限り、デバイスのフロントパネルを操作しているのはユーザであると仮定し、デバイスにより生成されそのデバイスから受信されるメッセージでユーザプロファイルを更新し続ける。
【００３２】
複数ユーザをサポートする本発明の第２の実施形態によると、前記ユーザのアクションは、前記デバイスにより生成され、前記デバイスから受信され、前記デバイスの識別子と、前記ユーザの又は前記ユーザ端末の識別子との両方に関連するメッセージから求められる。
【００３３】
実際、複数のユーザが同じデバイスを同時に操作することはあり得るが、これらのユーザを区別する必要性はある。この実施形態によると、デバイスユーザインタフェースのユーザ操作（電子デバイスのフロントパネルでも、リモートコントロールパネルでも）により生成されたメッセージを伝送するネットワークプロトコルは、デバイスを制御している人又は装置の識別子をメッセージにリンクする。この識別子は、通信タグを検出するため、関連するパネルの十分近くにいるユーザに対応するユーザ端末によりデバイスに伝達される。
【００３４】
本発明のさらに別の一実施形態では、前記検出する段階は、
−  前記通信タグリーダーのパワーを最小検出レンジに対応する閾値に設定するステップと、
−  前記検出レンジを大きくするため前記パワーを大きくするステップとを有する。
【００３５】
かかる実施形態は、ユーザが潜在的にマニュアルで制御しているデバイスを検出するため、ユーザ端末が複数のデバイス（例えば、家庭における、オーブン、コンピュータ、及びクッキングロボット）に接続される場合、有利である。この目的のため、通信タグリーダーは非常に短い検出レンジでスキャンを開始し、通信タグを検出するまで、徐々に検出レンジを広げる。また、タイプが異なるデバイスに対応する感度が異なる、クラスが異なる通信タグを用いることもできる。通信タグリーダーは、通信タグを検出すると、関連する識別子を読み取り、デバイスタイプとカテゴリーを識別し、ユーザがデバイスの前に又はその近くにいるか否か決定する。
【００３６】
さらに別の一実施形態では、ユーザ端末に通信タグを設けつつ、幾つかのデバイスにも通信タグリーダーを設けることも可能である。かかる一実施形態において、本方法は、
−  前記デバイスに組み込まれた／設けられた通信タグリーダーが、前記ユーザ端末に設けられた通信タグを読み取るステップと、
−  前記デバイスと前記ユーザ端末との間の前記ローカル又はパーソナルネットワーク接続を通して、前記ユーザ端末に、前記ユーザ端末が前記デバイスの通信レンジ内であることをシグナリングするメッセージを送信するステップとを有する。
【００３７】
２つのユーザ端末が、両方とも通信タグと通信タグリーダーとを備え、互いに近くにあるとき、一方はユーザ端末の役割を果たし、他方はデバイスの役割を果たす場合がある。
【００３８】
この実施形態では、デバイスは、専用の制御メッセージを通じて、ユーザ端末に、物理的近傍検出をシグナリングする。多くの家庭の又は公衆のデバイスは通常は電力供給ネットワークに接続され、ユーザ端末ほど消費電力問題は重要ではない。デバイスによりユーザ端末に向けて発したかかるメッセージは、事前のネットワーク接続確立に対する代替として、ユーザ端末の通信タグリーダーによる読み取り試行をトリガーする他の興味深い方法である。
【００３９】
さらに別の一実施形態では、かかる方法は、さらに、デバイスが、前記ユーザにパーソナル化されたサービスを提供するため、前記ユーザプロファイルを処理するステップを有する。
【００４０】
デバイスは、ユーザに提供するサービスをカスタム化するために、ネットワーク接続を通して、ユーザ端末に記憶されたユーザプロファイルにアクセスできる。
【００４１】
さらに別の一実施形態では、前記デバイスは少なくとも２つの通信タグを設けられている。
【００４２】
方向が異なる２以上のタグを用いると、ある種のアンテナ又はパスダイバーシティが可能となり、マルチパス周波数選択的フェージング（これは例えばＷｉ−Ｆｉなどの無線通信で生じることが多い）を低減する役に立つ。
【００４３】
明示的には説明していないが、本実施形態は任意の組み合わせやサブコンビネーションで利用できる。
【００４４】
本発明はさらに、通信ネットワークからダウンロード可能である、及び／又はコンピュータ読み取り可能担体に記憶された、及び／又はマイクロプロセッサにより実行可能である、コンピュータにおいて実行されると、上記のデバイスのユーザによる操作を検出する方法を実行するプログラムコード命令を含む、コンピュータプログラム製品に関する。
【００４５】
本発明は、さらにユーザ端末に関する。該ユーザ端末は、
−  デバイスとローカル又はパーソナルエリアネットワーク接続を確立するネットワークインタフェースモジュールと、
−  前記デバイス上に設けられた少なくとも１つの通信タグを読み取り、前記ユーザ端末が前記デバイスの通信レンジ内であることを検出する通信タグリーダーと、
−  ユーザプロファイルを記憶するメモリと、
−  前記デバイスにおけるユーザのアクションによりトリガーされ、前記デバイスにより生成され、前記ネットワーク接続を通して前記ネットワークインタフェースモジュールの受信モジュールにより受信された一以上のメッセージから求めた少なくとも１つのユーザのアクションで、前記ユーザプロファイルを更新するプロセッサとを有する。
【００４６】
本発明の一実施形態では、かかるネットワークインタフェースモジュールは、前記ユーザ端末と前記デバイスとの間のネットワーク接続を通して、ユーザに関する情報を送信する送信器も有する。
【００４７】
デバイスのユーザによる操作を検出する方法の実施形態に関する上記のユーザ端末の説明のすべてのフィーチャーは、かかるユーザ端末にも当てはまる。
【００４８】
さらに、本発明は、デバイスであって、ユーザにより操作可能なユーザインタフェースと、前記デバイスとユーザ端末との間のネットワーク接続を確立するネットワークインタフェースとを有し、さらに
−  前記ユーザ端末に設けられた通信タグリーダーにより読み取られる少なくとも１つの通信タグと、
−  前記ユーザ端末が前記デバイスの通信レンジ内にあると前記通信タグリーダーが検出したとき、前記ユーザに関する情報を前記ユーザ端末から受信する受信器と、
−  受信された前記情報に基づき前記ユーザ端末に記憶されたユーザプロファイルにアクセスするアクセスモジュールと、
−  前記ユーザプロファイルに基づき前記ユーザにパーソナル化されたサービスを提供する処理モジュールとを有するデバイスに関する。
【００４９】
デバイスのユーザによる操作を検出する方法の実施形態に関する上記のデバイスの説明のすべてのフィーチャーは、かかるデバイスにも当てはまる。
【００５０】
さらに本発明は、デバイス（少なくとも１つの通信タグが設けられたもの）のユーザによる操作を検出するシステムに関する。
【００５１】
前記システムは前記デバイスとユーザ端末とを有し、
−  前記デバイスとローカル又はパーソナルエリアネットワーク接続を確立するネットワークインタフェースモジュールと、
−  前記ネットワーク接続が確立された後に起動され、前記デバイスに設けられた通信タグを読み取り、前記ユーザ端末が前記デバイスの通信レンジ内にあることを検出する通信タグリーダーとを有する。
【００５２】
本発明の一実施形態によると、前記ネットワークインタフェースモジュールは、前記ネットワーク接続を通して、前記デバイスに、前記ユーザに関する情報を送信する送信器を有し、前記デバイスは、さらに、
−  前記ユーザに関する情報を受信する受信器と、
−  受信された前記情報に基づき前記ユーザ端末に記憶されたユーザプロファイルにアクセスするアクセスモジュールと、
−  前記ユーザプロファイルに基づき前記ユーザにパーソナル化されたサービスを提供する処理モジュールとを有する。
【００５３】
デバイスのユーザによる操作を検出する方法の実施形態に関する上記のユーザ端末及びデバイスの説明のすべてのフィーチャーは、かかるデバイスにも当てはまる。
【図面の簡単な説明】
【００５４】
本発明は、例として与えられ保護範囲を限定しない以下の説明と図面を参照して、より良く理解できるだろう。
【図１】デジタルテレビジョンを含むホームネットワークの場合に、本発明の一実施形態によるデバイスのユーザによる操作を検出するシステムを示す図である。
【図２】本発明の一実施形態による方法の主要ステップを記述するフローチャートを示す図である。
【図３】図１のシステムに実装されたユーザ端末の構成を示す図である。
【図４】図１のシステムに実装されたデバイスの構成を示す図である。図中のコンポーネントは必ずしも寸法通りではなく、本発明の原理を例示するに当たり、強調した部分もある。
【発明を実施するための最良の形態】
【００５５】
本発明の実施形態によるデバイスのユーザによる操作を検出する方法は、スマートフォンなどのパーソナル化されたコンピュータユニットなどの自分のウェアラブルユーザ端末をユーザが常に身につけているとの第１の仮定に依存している。デバイスは、プライベートデバイスであってもパブリックデバイスであっても、パッシブＲＦＩＤ（Ｒａｄｉｏ  Ｆｒｅｑｕｅｎｃｙ  Ｉｄｅｎｔｉｆｉｃａｔｉｏｎ）タグなどの通信タグを備えている。かかるタグは小型であり、どんなレガシー機器にも容易に取り付け（例えば、接着）できる。ユーザとデバイスとの間の距離を測るため、本発明の実施形態による方法は、かかる通信タグに関連する通信レンジを利用する。上記方法は、ユーザがデバイスの十分近く（例えば、５０ｃｍ以内）にいれば、そのユーザがデバイスを操作しているとの、さらに別の仮定にも依存している。
【００５６】
本技術分野の当業者には言うまでもないが、本原理の諸態様はシステム、方法、又はコンピュータ読み取り可能媒体として実施され得る。したがって、本原理の諸態様は、完全にハードウェアによる実施形態、完全にソフトウェアによる実施形態（ファームウェア、常駐ソフトウェア、マイクロコードなど）、又はソフトウェアとハードウェアの態様を組み合わせた実施形態の形式を取り得る。これらはここでは概して「回路」、「モジュール」又は「システム」と呼ぶ。さらにまた、本原理の諸態様はコンピュータ読み取り可能記憶媒体の形式を取り得る。一以上のコンピュータ読み取り可能記憶媒体の任意の組み合わせを利用できる。
【００５７】
図１は、一以上のユーザが複数の家庭用デバイス（コーヒーマシン、パーソナルコンピュータ、洗濯機、オーブン、冷蔵庫、テレビジョンセットなど）を操作するホームネットワークの場合に、本発明の一実施形態を示す図である。図１のシステムは、より具体的に、デジタルテレビジョンの操作にフォーカスしている。しかし、次の説明は他のタイプの家庭用デバイスに容易に拡張可能である。留意点として、本発明の他の実施形態は、もちろん、例えば広告パネルや飲料自動販売機がある駅やバスの中などの公共の場でも生じ得る。
図１のシステムは、
−  ＲＦＩＤタグ５を備えたデジタルテレビジョン３；
−  ＲＦＩＤタグ６を備えた、デジタルテレビジョン３用のリモートコントロール４；
−  ユーザ１が所有し身につけているスマートフォン１０。スマートフォン１０にはＲＦＩＤタグリーダーが備えられている；
−  ユーザ２が所有し身につけているスマートフォン２０。スマートフォン２０にはＲＦＩＤタグリーダーも備えられている。
【００５８】
図１には例示していないが、デジタルテレビジョン３は（図１には示していない他の家庭用機器とともに）、Ｗｉ−Ｆｉ（登録商標）通信標準を用いる無線ローカルエリアネットワークなどのホームネットワークの一部である。
【００５９】
ユーザ１が家に入ると、そのスマートフォン１０が自動的にそのユーザのＷＬＡＮに接続する。スマートフォン１０は、ホームネットワークを発見し、ネットワーク接続７を通してデジタルテレビジョン３と関連付けられる。ネットワーク接続７はセキュアネットワーク接続であってもよい。
【００６０】
デジタルテレビジョン３は、家にユーザがいることを知り、例えばそのユーザの個人的設定にセットする（例えば、ユーザ１の好みのチャンネルに切り替える）ためそのユーザのプロファイルにアクセスできる。
【００６１】
ユーザ２とそのスマートフォン２０についても、帰宅時には同様である。
【００６２】
ユーザ１は、デジタルテレビジョン３があるリビングルームに移動した時、テレビジョンセットリモートコントロール４又はテレビジョンセット３のフロントパネルを操作してチャンネルの変更又は音量の増大を望んだとする。かかる動作は、フロントパネル又はリモートコントロール４のいずれかで、ユーザ１プロファイルに保存されなければならない。
【００６３】
ユーザ１がリモートコントロール４を持つか、又はデジタルテレビジョン３に近づくと、そのユーザのスマートフォン１０がＲＦＩＤ６又はＲＦＩＤ５を検出する。例えば、ユーザ１がデジタルテレビジョン３からある距離ｄ（ｄ＜Ｘｃｍ）のところに来る。ここで、Ｘはデジタルテレビジョン３に取り付けられた（例えば、接着された）ＲＦＩＤタグ５の検出レンジを示す。スマートフォン１０に組み込まれたＲＦＩＤタグリーダーがＲＦＩＤ５を検出する（８）。ＲＦＩＤタグリーダーは、ＲＦＩＤ５に関連する識別子を読み、例えば、スマートフォン１０に記憶されたルックアップテーブルで、それがデジタルテレビジョン３の識別子に対応することを見いだす。
【００６４】
図１から分かるように、ユーザ２は、デジタルテレビジョン３とリモートコントロール４から距離Ｄ＞Ｘｃｍのところにいる。スマートフォン２０はＲＦＩＤ５もＲＦＩＤ６も検出しない。
【００６５】
ユーザ１がテレビジョンフロントパネルを操作（９）する時、デジタルテレビジョン３はチャンネル切り替えや音量の上下を指示するＤＬＮＡメッセージやＱｅｏ（登録商標）メッセージなどのイベントメッセージを生成する。これらのホームネットワークプロトコルメッセージ１１は、ホームネットワークで送信され、スマートフォン１０により受信され、記録されてユーザ１のプロファイルと関連付けられる。スマートフォン１０がＲＦＩＤ５又はＲＦＩＤ６を検知又は検出できる限り、これは正しい。検知が失敗したら、又はスマートフォン１０により新しいＲＦＩＤが検出されたら、ユーザ１とデジタルテレビジョン３との間の接続（ａｓｓｏｃｉａｔｉｏｎ）が終了する。
【００６６】
スマートフォン２０もデジタルテレビジョン３により生成されたホームネットワークプロトコルメッセージ１１を受信する。しかし、そのメッセージはスマートフォン２０により破棄される。ユーザ２はデジタルテレビジョン３に十分近いと検出されていないからである。
【００６７】
図２を参照してより詳細に開示する通り、デジタルテレビジョン３はスマートフォン１０に記憶されたユーザプロファイルを参照（ｏｐｅｒａｔｅ）してパーソナル化したサービスをユーザ１に配信できる。
【００６８】
図２は、本発明の一実施形態によるデバイスのユーザによる操作検出方法の幾つかのステップをフローチャートの形式で示す図である。これらのステップのうち幾つかはすでに図１を参照して説明した。しかし、図２に合成型で示されている。
【００６９】
ステップ２１において、例えば、ユーザ１が自宅に入り、ユーザ１のスマートフォンが自動的にホームＷＬＡＮに接続したとき、ローカルエリアネットワーク接続がスマートフォン１０とデジタルテレビジョン３との間に確立される。
【００７０】
かかるネットワーク接続を確立することにより、スマートフォン１０に組み込まれたＲＦＩＤタグリーダーが読み取り試行（ｒｅａｄ  ａｔｔｅｍｐｔ）がトリガーされる。その前には、スマートフォン１０による消費電力を低減するため、読み取り試行は起動されていない。
【００７１】
ユーザ１がデジタルテレビジョン３に十分近づくと（ｄ＜Ｘｃｍ）、スマートフォン１０はデジタルテレビジョン３に取り付けられた（例えば、貼り付けられた）ＲＦＩＤタグ５を検出する（ステップ２２）。
【００７２】
スマートフォン１０は、次いで、ユーザ１に関する情報をデジタルテレビジョン５に送信する（ステップ２３）。かかる情報は、ユーザ１の識別子、及びユーザ１のユーザプロファイル中の収集された情報を含む。
【００７３】
デジタルテレビジョン３により生成されホームネットワークを介して送信されたすべての後続イベントメッセージは、スマートフォン１０により、デジタルテレビジョンフロントパネル上でユーザ１により操作されたアクションによりトリガーされたと見なされる。実際、ユーザ１は、デジタルテレビジョン３に十分近く、テレビジョンセットを操作している人であると考えられる。
【００７４】
さらに、デジタルテレビジョン３は、ユーザ１（又はそのスマートフォン１０）のアイデンティティを表す識別子を、イベントメッセージとリンクさせて、送信してもよい。
【００７５】
デジタルテレビジョン３から受信されるホームネットワークプロトコルのすべてのメッセージは（デジタルテレビジョン３の識別子を担っているのでそのように認識され）、ステップ２４においてユーザ１のアクションとして収集され、スマートフォン１０に格納されたユーザプロファイルに集められる。
【００７６】
ステップ２５において、ユーザ１のプロファイルから読み出した情報のおかげで、デジタルテレビジョン３は、ユーザ１にパーソナル化したサービスを提供する。例えば、デジタルテレビジョンはユーザ１の好みのチャンネルに切り替える。
【００７７】
図１と２のシステムと方法は、以下に説明するように、複数のユーザの場合にも当てはまる。
【００７８】
図１において、ユーザ１と２は両方ともデジタルテレビジョン３又はリモートコントロール４に十分近く、デジタルテレビジョン３を操作している可能性があるとスマートフォン１０と２０により検出されるものと仮定する。例えば、ユーザ１はデジタルテレビジョン５に取り付けられた（例えば、接着された）ＲＦＩＤから距離ｄ＜Ｘｃｍにあり、ユーザ２はリモートコントロール４に取り付けられた（例えば、接着された）ＲＦＩＤ６から距離ｄ＜Ｘ’ｃｍにあり、Ｘ’はＲＦＩＤ６に関連する検出レンジである。
【００７９】
スマートフォン１０と２０は、ホームネットワークプロトコルメッセージ１１を、各ソース（すなわち、ユーザ１又はユーザ２）に関連付け可能でなければならない。スマートフォン１０は、デジタルテレビジョン３のフロントパネルのユーザ１の操作にリンクされたテレビジョンセットイベントのみを記録せねばならず、スマートフォン２０は、リモートコントロール４のユーザ２の操作にリンクしたテレビジョンセットイベントのみを記録せねばならない。
【００８０】
この目的のため、スマートフォン１０は、ＲＦＩＤ５を検出すると、この検出をローカルエリアネットワーク接続７を通して（例えば、ホームネットワークプロトコルの一部として）デジタルテレビジョン３にシグナリングできる。さらに別のステップにおいて、フロントパネルのユーザ操作に続きメッセージを送信する（例えば、ＤＬＮＡ／ＵＰｎＰ，Ｑｅｏ（登録商標），Ｂｏｎｊｏｕｒ…などの）ホームネットワークプロトコルは、そのメッセージに、ユーザ１の又はスマートフォン１０の識別子をリンクしなければならない。それゆえ、スマートフォン１０は、受信するホームネットワークプロトコルメッセージ１１のうち、ユーザ２から発せられたものから、ユーザ１から発せられたものを弁別できる。
【００８１】
ユーザ２がリモートコントロール４ではなくてスマートフォン２０を用いてデジタルテレビジョン３をリモートコントロールするとき、ホームネットワークプロトコルはコントロールソースの識別子を担わなければならない。言い換えると、ユーザ２リモートコントロールに関連付けられた後続のホームネットワークプロトコルイベント１１は、ユーザ２の又はスマートフォン２０のどちらかの識別子を担う。
コントロール／ホームネットワークプロトコルは、コントロールソース（発信元又はユーザ）に関連付けられたＩＤをプロトコルメッセージとともに伝送できない場合、好ましくは、ターゲットアプリケーション（すなわち、デジタルテレビジョン３）とスマートフォン１０、２０との間の２つ以上のセキュア接続を受け入れることを禁止すべきである。
【００８２】
本発明の実施形態は、任意のタイプのセキュア接続と任意のタイプのホームネットワークプロトコル接続に依存してもよい。それ自体は本開示の一部を形成しない。本技術分野の当業者は、デジタルテレビジョンとスマートフォンとの間のセキュア接続を確立するセキュア接続サービスを提供する適切なプロトコル／メディア、及びホームネットワークプロトコル接続を確立するコントロールプロトコルを提供するプロトコル／メディアを容易に選択する。当業者は、ホームネットワークプロトコル接続及びセキュア接続を同じ媒体及び同じプロトコルの一部として伝送することを考える。
【００８３】
本発明のさらに別の一実施形態では、スマートフォン１０と２０はＲＦＩＤタグを組み込み（これらは図１には図示していない）、デジタルテレビジョン３はＲＦＩＤタグリーダーを備えている。
【００８４】
よって、スマートフォン１０に組み込まれたＲＦＩＤタグリーダーは、スマートフォン２０に設けられたＲＦＩＤタグを検出する。スマートフォン２０はデバイスと見なされる。スマートフォン１０と２０の両方の近傍検出によりユーザ近傍検出方法が提供される。
【００８５】
さらに、ユーザ１がデジタルテレビジョン３に近づくと、デジタルテレビジョン３に組み込まれたＲＦＩＤタグリーダーがスマートフォン１０のＲＦＩＤタグを検出する。ＲＦＩＤタグリーダーは、次いで、丁度読み取ったＲＦＩＤタグにより示されたように、ユーザ１の又はスマートフォン１０の識別子を付加し、後続のコントロールプロトコルメッセージが物理的インタフェース又はフロントパネルのユーザ１の操作と関連付けられる。
【００８６】
代替的に、又は追加的に、デジタルテレビジョン３は、専用コントロールメッセージを通して物理的近傍検出をスマートフォン１０にシグナリングする。
【００８７】
図３と図４は、それぞれ、本発明の実施形態によるユーザ端末及びデバイスを示す模式図である。
【００８８】
図３について、本発明のユーザ端末は、バッファメモリＲＡＭを有するメモリ３６と、例えばマイクロプロセッサｍＰを備え、本発明の実施形態によるデバイスのユーザによる操作を検出する方法を実装するコンピュータプログラム３７により駆動される処理ユニット３５とを有する。
【００８９】
初期化において、コンピュータプログラム３７のコード命令は、例えば、ＲＡＭにロードされ、次いで処理ユニット３５のプロセッサにより実行される。
【００９０】
本発明の一実施形態では、処理ユニット３５のマイクロプロセッサは、コンピュータプログラム３７の命令により、上記のデバイスのユーザによる操作の検出方法のステップを実施する。このため、ユーザ端末は、機器又はデバイスに関連するＲＦＩＤタグ３０を読むように動作可能な通信タグリーダー３１と、受信器と送信器を両方とも有するネットワークインタフェースモジュール３２とを有する。ターゲット機器が接続されているローカルエリアネットワークとのネットワーク接続がネットワークインタフェースモジュール３２により確立されると、マイクロプロセッサ３５は通信タグリーダー３１を起動する。タグリーダーは、ＲＦＩＤタグ３０に十分近くなるやいなや、デバイスを操作している人であると仮定できるほどユーザがデバイスに十分近いところにいることを検出する。マイクロプロセッサ３５は、ネットワークインタフェースモジュール３２の送信器を通して、ユーザに関する情報ＩＮＦＯ３３を機器に送信する。機器のフロントパネル上でのユーザのアクションに続くその機器により生成されたホームネットワークプロトコルイベントは、メッセージＭＳＧ３４の形式で、ネットワークインタフェースモジュール３２の受信器により受信される。メッセージはマイクロプロセッサ３５によりユーザプロファイルの一部としてメモリ３６に格納される。
【００９１】
これらのモジュールは、処理ユニット３５のマイクロプロセッサにより制御され、ハードウェアモジュール、又はソフトウェアモジュール、又はハードウェア要素とソフトウェア要素の両方の組み合わせである。
【００９２】
図４について、本発明のデバイスは、バッファメモリＲＡＭを有するメモリ４６と、例えばマイクロプロセッサｍＰを備え、本発明の実施形態によるデバイスのユーザによる操作を検出する方法を実装するコンピュータプログラム４７により駆動される処理ユニット４５とを有する。
【００９３】
初期化において、コンピュータプログラム４７のコード命令は、例えば、ＲＡＭにロードされ、次いで処理ユニット４５のプロセッサにより実行される。
【００９４】
本発明の一実施形態では、処理ユニット４５のマイクロプロセッサは、コンピュータプログラム４７の命令により、上記のデバイスのユーザによる操作の検出方法のステップを実施する。このため、この機器は、好ましくはパッシブな通信タグＲＦＩＤ４１（例えば、図１のＲＦＩＤタグ５又は６）を有する。この通信タグＲＦＩＤ４１は、図３のユーザ端末の通信タグリーダー３１により読み取られる。また、この機器は、図３のユーザ端末とネットワーク接続を確立するネットワークインタフェースモジュール４２も有する。デバイスフロントパネル又はリモートコントロールでのユーザのアクションにより、ホームネットワーク上でネットワークインタフェースモジュール４２の送信器により送信されるメッセージＭＳＧ４４の形式でマイクロプロセッサ３５により生成されるホームネットワークプロトコルイベントがトリガーされる。図４のデバイスにより送信されるメッセージＭＳＧ４４は、図３のユーザ端末により受信されるメッセージＭＳＧ３４と同じである。
【００９５】
また、ネットワークインタフェースモジュール４２の受信器により、デバイスは、フロントパネル又はリモートコントロールを操作しているユーザに関する情報ＩＮＦＯ４３を受信できる。図４の機器により送信される情報ＩＮＦＯ４３は、図３のユーザ端末により受信される情報ＩＮＦＯ３４と同じである。デバイスがユーザにパーソナル化されたサービスを提供するために、かかる情報ＩＮＦＯ４３は、マイクロプロセッサ４５により処理され、メモリ４６に少なくとも一時的に記憶される。
【００９６】
上記のモジュールは、処理ユニット４５のマイクロプロセッサにより制御され、ハードウェアモジュール、又はソフトウェアモジュール、又はハードウェア要素とソフトウェア要素の両方の組み合わせである。
【００９７】
このように、例えば、当業者には言うまでもなく、ここに説明したブロック図は本発明の原理を化体するシステムコンポーネント及び／又は回路を概念的に示すものである。同様に、言うまでもなく、フローチャート、フロー図、状態遷移図、擬似コード等は、様々な方法（ｐｒｏｃｅｓｓｅｓ）を表し、これらの方法をコンピュータ読み取り可能記憶媒体に実質的に表しても、（明示的に示していようがいまいが）コンピュータやプロセッサで実行してもよい。
【００９８】
本発明の実施形態で用いられる通信タグは、ＲＦＩＤタグ、ＮＦＣタグ、ブルートゥース低エネルギー通信タグなどである。
【００９９】
ＲＦＩＤシステムはタグリーダーとタグとの間の結合のタイプに応じて大きく２つのカテゴリーに分けられる：
・  幾つかのＲＦＩＤシステムは誘導カップリング（ニアフィールド）に基づく：これらのシステムは、一般的に、低周波数（ＬＦ＝１２５ｋＨｚ）及び高周波数（ＨＦ＝１３．５６ＭＨｚ）で動作し、通信レンジは一般的にはアンテナのサイズと等しい。（例えば、ＲＦＩＤ機能を有するガントリーのような）大きなリーダーアンテナか、ＮＦＣで必要とされるような極短距離を要する。
・  幾つかのＲＦＩＤシステムは放射カップリングに基づく：これらのシステムは、極超短波（米国でのＵＨＦバンドは９０２−９２８ＭＨｚであり、ヨーロッパでは８６５−８６８ＭＨｚ）又はマイクロ波帯域（２．４ＧＨｚ及び５．８ＧＨｚ）で動作する。これらの帯域においては、数メートルまでの長いレンジが可能であり、アンテナサイズが小さく、タグが安価であり、読み取りレートが高いとの利点がある。読み取りレンジはリーダーとタグの感度及び規制で許されている電力により決まり、これは米国（等価等方放射電力（ＥＩＲＰ）の４Ｗまで）と欧州（ＥＩＲＰの０．５Ｗまで）では異なる。
【０１００】
本発明の実施形態は、ＥＰＣｇｌｏｂａｌ（登録商標）Ｇｅｎ２プロトコルに基づく低コストパッシブタグ（これはデバイスの前面に取り付け（例えば接着）できる）に関連するＵＨＦ帯域で動作する長距離ＲＦＩＤシステムを用いる。（ＥＰＣｇｌｏｂａｌ（登録商標）Ｇｅｎ２は、ＧＳ１グループにより提案され、２００４年のＥＰＣｇｌｏｂａｌにより最初に公開されたＵＨＦ  Ａｉｒ  Ｉｎｔｅｒｆａｃｅ  Ｐｒｏｔｏｃｏｌ  Ｓｔａｎｄａｒｄ  Ｇｅｎｅｒａｔｉｏｎ  ２であり、８６０ＭＨｚ−９６０ＭＨｚのＵＨＦ帯域で動作する質問器のＲＦＩＤシステムとパッシブタグの物理的及び論理的要件を規定している。）
デバイス／機器の利用に応じて、読み取りレンジは２つの方法で調整できる：
−  最初に、感度が異なる、クラスが異なるＲＦＩＤタグを用いることによる（パッシブタグの感度が高ければ高いほど、読み取り距離は長くなる）。コーヒーマシンは短距離ＲＦＩＤタグを要し、一方洗濯機は長距離ＲＦＩＤを要する。タグの感度は、多かれ少なかれ感度の高いＲＦＩＤチップを用いることにより、又は異なるアンテナサイズ及び効率を用いることにより、変更できる。ＲＦＩＤを組み込んだリーダーにより送信される電力は、一定であり、スマートフォンの生産者により決められ、ローカル規制に沿うものであると仮定する。
−  次いで、リーダーの送信パワーを可変することにより、スマートフォンとデバイスとの間の距離のアプリオリな知識を仮定する。スマートフォンは、図１の実施形態によるデバイスと（上記のセキュア接続７を通して）接続されていると仮定すると、電子タグリーダーを、デバイスと互換の送信レンジ（図１の最大Ｘセンチメートル）となるように構成できる。
【０１０１】
スマートフォンが複数のデバイス（例えば、オーブン、コンピュータ、クッキングロボット）に接続されている場合、ユーザが潜在的にマニュアルで制御しているデバイスを検出するのにプログレッシブスキャンアルゴリズムを用いる。この目的のため、リーダーは、非常に短い検出レンジでＲＦＩＤタグのスキャンを始め、徐々にその検出レンジを拡大して、タグを検出するまで続ける。タグ識別子に依存して、リーダーは、デバイスタイプとカテゴリーを検出し、ユーザがデバイスの前に又は近くに実際にいるか否か決定する。
【０１０２】
ＵＨＦ  ＲＦＩＤシステムは、本発明の実施形態によく適しているが、Ｗｉ−Ｆｉにおいてよく知られているマルチパス周波数選択的フェージングを被る。この問題を緩和するため、２以上のタグをデバイスに（例えば、デジタルテレビジョン３の両端に）、場合によっては異なる方向に向けて取り付け、ある種のアンテナ／パスダイバーシティの利益を得るようにしてもよい。これは、ＲＦＩＤシステムが一度に複数のタグを読み取る機能を有していれば可能である。追加的コストはわずかである。もちろん、同じデバイス上のＲＦＩＤタグスタックのＩＤコードは、同じデバイスに関連付けられる。
【０１０３】
ユーザがデジタルテレビジョンをそのフロントパネルを通して操作するホームネットワークの特別な場合において、本発明の実施形態を説明した。もちろん、これは本発明の実施形態の多くのアプリケーションとコンテキストに限定されない。単なる一例として、本発明の他の一実施形態は、飲料自動販売機のような公開された機器をユーザが操作できる駅において実施できる。スマートフォンに組み込まれたタグリーダーの読み取り試行は、飲料自動販売機がある無線通信ネットワークのセルＩＤに基づき、又はユーザのスマートフォンと駅の公衆Ｗｉ−Ｆｉネットワークとの間に確立されたネットワーク接続に基づき、トリガーできる。スマートフォンは、飲料自動販売機に取り付けられた（例えば、接着された）ＲＦＩＤタグを検出し、かつユーザは飲料自動販売機を操作している人だと推論した後、ユーザに関する情報を飲料自動販売機に送信できる。自動販売機は、次いで、自動的にユーザの好きな飲料を提供できる。
【図１】
2016042693.tif 000003
【図２】
2016042693.tif 000004
【図３】
2016042693.tif 000005
【図４】
2016042693.tif 000006
【外国語明細書】
2016042693000001.pdf